(57)【要約】      （修正有）【課題】運動中にユーザの上半身に効果をもたらすような特別のバランスを必要とする改良したステップ運動器具を提供する。【解決手段】ステップ運動器具は、ベース４０と、シリンダ３１と該シリンダの端部から伸び、２本の短いロッドに取り付けられた対応するブラケットに回転可能に接続されたピストンロッド３２とを有するクッション装置と、サポートプレート２１を有するサポートと、前記サポートプレートにしっかりと固定されるボード１０とを含む。前記２本のシリンダの動きは、ユーザの下半身に効果をもたらすだけでなくユーザの上半身にも効果をもたらすような抵抗を与える。【選択図】図３
0003111935.tif 000002
【実用新案登録請求の範囲】
【請求項１】
ステップ運動を通して下半身を運動させることと、バランス運動を通して上半身を運動させることとを同時に行うステップ運動器具であって、
ブラケットがそれぞれに取り付けられた２本の短いロッドと、接続プレートがそれぞれに取り付けられた、長方形を形作るように前記２本の短いロッドの間に挟まれかつこれらに固定された２本の細長いロッドとから成るベースと、
シリンダと、該シリンダの一端部から伸び、前記ブラケットに回転可能に接続されたピストンロッドとを有するクッション装置と、
サポートプレートと、該サポートプレートの底面から伸び、前記２本のシリンダの他端部と結合されたサポートロッドとを有するサポートと、
前記サポートプレートに固定されたボードとを含み、
前記２本のシリンダの抵抗に対抗する動きは、ユーザの下半身だけでなく上半身にも効果をもたらすようなステップ運動とボードの回転とを提供する、ステップ運動器具。
【請求項２】
前記２本のピストンロッドの各自由端は、対応する前記ブラケットに回転可能に接続されるように形成された軸穴を有する、請求項１に記載のステップ運動器具。
【請求項３】
ピラミッド形の中空のカバーが、前記サポートと、前記クッション装置の一部と、前記２個の接続プレートとを包むように用いられ、前記ピラミッド形の中空のカバーは、前記サポートロッドと、前記２本のシリンダと、前記ベースの前記２本の細長いロッドとにしっかりと接続されている、請求項２に記載のステップ運動器具。
【考案の詳細な説明】
【技術分野】
【０００１】
本考案は、ステップ・バランス運動器具に関し、より具体的には、ユーザが２つの異なる運動目標を達成するのに役立つステップ・バランス運動器具に関する。
【背景技術】
【０００２】
近年、人々は多忙で混雑した世界で生活しており、運動不足により生じる多くのいわゆる文明化がもたらす病気に悩んでいる。十分な場所と時間がないことが、人々が運動しない２つの大きな理由である。しかし、健康を維持しいかなる病気にも悩まない通常の生活を送るために、運動は最も良い選択と思われる。そのジレンマに対処するために、人々がいつでもどこでも運動できるようなコンパクトな運動器具が市場に売り出されている。ステップ運動器具とよばれる一種の運動器具がある。ユーザが前記ステップ運動器具の上に立ち、該運動器具の上で上下にステップを始めることができる。特別に設計された機構により、前記ステップ運動器具はユーザに階段を歩くのと似た運動効果をもたらす。したがって、ユーザは足、もも、肺活量に効果をもたらすことができる。
【考案の開示】
【考案が解決しようとする課題】
【０００３】
しかし、ステップ運動は単調であるので、ユーザはすぐにそのような運動をすることに興味を無くす。さらに、従来の前記ステップ運動器具を使用することによりユーザは上半身に効果をもたらすことはない。
【課題を解決するための手段】
【０００４】
本考案の主な目的は、運動中にユーザの上半身に効果をもたらすような特別のバランスを必要とする改良したステップ運動器具を提供することである。
【０００５】
本考案の他の目的、長所および新規の特徴は、添付図面と併せて以下の詳細な説明に示される。
【考案を実施するための最良の形態】
【０００６】
図１、２を参照すると、本考案に従った前記ステップ運動器具は、ベース４０、クッション装置３０、サポート２０およびボード１０を含むことが示されている。
【０００７】
ベース４０は実質的に長方形で、２本の細長いロッドおよび２本の短いロッドから成る。前記２本の細長いロッドは、長方形を形作るように前記２本の短いロッドの間に挟まれかつ該ロッドに固定されている。前記短いロッドのそれぞれには実質的にＵ形状のブラケット４１が取り付けられ、前記２本の細長いロッドのそれぞれには接続プレート４２が取り付けられている。
【０００８】
クッション装置３０は、それぞれがピストンロッド３２を有する２本のシリンダ３１から成り、ピストンロッド３２はシリンダ３１の一端部から伸び、ピストンロッド３２の自由端に形成された軸穴３３を有する。
【０００９】
サポート２０は、サポートプレート２１と、該サポートプレート２１の底面から伸びるサポートロッド２２と、２本のシリンダ３１の他端部をしっかりと結合するようにサポートロッド２２の自由端に形作られた実質的にＵ形状の接続部２３とを有する。接続穴２４は、接続プレート４２と対応するようにサポートロッド２２に形成されている。
【００１０】
前記ステップ運動器具が組み立てられるときに、接続穴２４は、ボルト・ナットなどが前記２本の細長いロッドの間にサポート２０を固定するのに適合するように、それぞれが２個の接続プレート４２に形成された２個の貫通穴４２１と１列に並ぶ。その後、２本のピストンロッド３２の軸穴３３は、それぞれが各ブラケット４１に受け入れられ、回転可能に接続される。さらに、ボード１０は、ユーザに踏み台を用意するために、サポートプレート２１の開放された面にしっかりと固定される。
【００１１】
図３、図４を参照すると、ユーザが、ベース４０の前記２本の短いロッドに対して２本の足を平行にして前記ボードの上に立つことができ、左右への揺動を開始する状態が示されている。ユーザが、シリンダ３１の抵抗に打ち勝つような力を出すことは、下半身に効果をもたらすことを促進する。さらに、ボード１０の上でバランスを維持するために空中で２本の腕を振ることは、上半身に効果をもたらすことを促進する。図３、図４に示された運動のやり方に対する代替案として、ユーザが、ベース４０の前記２本の細長いロッドに対して２本の足を平行にしてボード１０の上に立ち、前後に揺れ動く場合もある。
【００１２】
さらに、本考案の前記ステップ運動器具の全体的な外見を良くするために、図２に示されるようなピラミッド形の中空のカバー５０が、サポート２０と、クッション装置３０の一部と、２個の接続プレート４２とを包むように用いられる。すなわち、ピラミッド形の中空のカバー５０は、サポートロッド２２と、２本のシリンダ３１と、ベース４０の前記２本の細長いロッドとにしっかりと接続される。
【００１３】
本考案の構造および機能の詳細に加えて、本考案の多くの特徴および長所が上記の説明に記述されても、開示は実例を示すのみであり、上記の実用新案登録請求の範囲に示される用語の幅広い一般的な意味により示される範囲の本考案の原理の中で、詳細、特に形状、寸法、部品の配置において、変更がなされる場合があることは明らかである。
【図面の簡単な説明】
【００１４】
【図１】本考案のステップ運動器具の斜視図。
【図２】図１のステップ運動器具の分解斜視図。
【図３】ユーザがステップ運動器具の上に立っていることを示す概略図。
【図４】本考案のステップ運動器具の動きを示す概略図。
【図５】本考案のステップ運動器具の代替的な用途を示す概略図。
【図６】本考案のステップ運動器具の代替的な用途を示す概略図。
【符号の説明】
【００１５】
１０    ボード
２０    サポート
２１    サポートプレート
２２    サポートロッド
２３    接続部
２４    接続穴
３０    クッション装置
３１    シリンダ
３２    ピストンロッド
３３    軸穴
４０    ベース
４１    ブラケット
４２    接続プレート
５０    ピラミッド形の中空のカバー
４２１    貫通穴
【図１】
0003111935.tif 000003
【図２】
0003111935.tif 000004
【図３】
0003111935.tif 000005
【図４】
0003111935.tif 000006
【図５】
0003111935.tif 000007
【図６】
0003111935.tif 000008